【手続補正書】
【提出日】平成18年2月9日(2006.2.9)
【手続補正１】
【補正対象書類名】明細書
【補正対象項目名】発明の名称
【補正方法】変更
【補正の内容】
【発明の名称】永久磁石形モータ及びその製造方法、並びに洗濯機
【手続補正２】
【補正対象書類名】明細書
【補正対象項目名】特許請求の範囲
【補正方法】変更
【補正の内容】
【特許請求の範囲】
【請求項１】  複数枚の鋼板を積層して環状に構成され、その周方向に磁石挿入孔を２ｎ（ｎは１以上の整数）個有する回転子鉄心と、前記磁石挿入孔に挿入される界磁用永久磁石とを備えた回転子を具備した永久磁石形モータにおいて、
前記回転子鉄心は、前記各磁石挿入孔と固定子との間に介在される各介在部の周方向の両端部のうちの一方の端部のみに前記磁石挿入孔と連通する開口部を形成した鋼板を積層して構成したことを特徴とする永久磁石形モータ。
【請求項２】  回転子鉄心は、各介在部における開口部を、軸方向の一方の端面側からみて時計回り方向側または反時計回り方向側のどちらか一方側の端部のみに形成した鋼板を積層して構成したことを特徴とする請求項１記載の永久磁石形モータ。
【請求項３】  回転子鉄心は、各介在部における開口部を、軸方向の一方の端面側からみて時計回り方向側の端部と反時計回り方向側の端部とに周方向に交互に形成した鋼板を交互に積層して構成したことを特徴とする請求項１記載の永久磁石形モータ。
【請求項４】  回転子鉄心は、各介在部における開口部を、軸方向の一方の端面側からみて時計回り方向側の端部のみに形成した第１の鋼板と、反時計回り方向側の端部のみに形成した第２の鋼板とを交互に積層して構成したことを特徴とする請求項１記載の永久磁石形モータ。
【請求項５】  複数枚の鋼板を積層して環状に構成され、その周方向に磁石挿入孔を２ｎ（ｎは１以上の整数）個有する回転子鉄心と、前記磁石挿入孔に挿入される界磁用永久磁石とを備えた回転子を具備した永久磁石形モータにおいて、
前記回転子鉄心は、前記各磁石挿入孔と固定子との間に介在される各介在部の周方向の両端部に磁石挿入孔と連通する開口部を形成することで前記介在部が主体部から独立した第１の鋼板と、前記介在部の周方向の両端部のうち少なくとも一端部が主体部と接続された第２の鋼板とを積層する共に、これら各鋼板の前記各介在部同士及び前記各主体部同士を連結して構成したことを特徴とする永久磁石形モータ。
【請求項６】  複数枚の鋼板を積層して環状に構成され、その周方向に磁石挿入孔を２ｎ（ｎは１以上の整数）個有する回転子鉄心と、前記磁石挿入孔に挿入される界磁用永久磁石とを備えた回転子を具備した永久磁石形モータにおいて、
前記回転子鉄心は、前記各磁石挿入孔と固定子との間に介在される各介在部の周方向の両端部のうち少なくとも一端部に磁石挿入孔と連通する開口部を形成した第１の鋼板を複数枚積層したものと、この第１の鋼板を積層したものの軸方向の片側または両側に配置され、前記磁石挿入孔に挿入された界磁用永久磁石の脱落を防止する磁石脱落防止部を有する第２の鋼板とを連結して構成したことを特徴とする永久磁石形モータ。
【請求項７】  回転子鉄心は、周方向に分割された複数の分割鉄心を環状に連結して構成することを特徴とする請求項１ないし６のいずれかに記載の永久磁石形モータ。
【請求項８】  複数枚の鋼板を積層して環状に構成され、その周方向に磁石挿入孔を２ｎ（ｎは１以上の整数）個有する回転子鉄心と、前記磁石挿入孔に挿入される界磁用永久磁石とを備えた回転子を具備した永久磁石形モータを製造する方法において、
前記回転子を製造する際に、前記各磁石挿入孔に前記界磁用永久磁石を挿入した状態で樹脂によりモールドし、この後、前記回転子鉄心の各磁石挿入孔と固定子との間に介在される各介在部の周方向の両端部に、前記磁石挿入孔と連通する開口部を後加工により形成するようにしたことを特徴とする永久磁石形モータの製造方法。
【請求項９】  複数枚の鋼板を積層して環状に構成され、その周方向に磁石挿入孔を２ｎ（ｎは１以上の整数）個有する回転子鉄心と、前記磁石挿入孔に挿入される界磁用永久磁石とを備えた回転子を具備した永久磁石形モータを製造する方法において、
前記回転子を製造する際に、前記回転子鉄心は、前記磁石挿入孔と固定子との間に介在される各介在部の周方向の一端部のみに前記磁石挿入孔と連通する開口部を形成すると共に、前記磁石挿入孔が前記開口部側ほど広くなるように形成し、前記各磁石挿入孔に前記界磁用永久磁石を挿入した後、前記磁石挿入孔の前記開口部側を狭くするように前記各介在部を前記界磁用永久磁石側へ変形させた状態で樹脂によりモールドするようにしたことを特徴とする永久磁石形モータの製造方法。
【請求項１０】  回転子鉄心は、周方向に分割された複数の分割鉄心を環状に連結して構成することを特徴とする請求項８または９記載の永久磁石形モータの製造方法。
【請求項１１】  請求項１ないし７のいずれかに記載の永久磁石形モータを、回転槽を回転駆動する駆動用モータとして用いることを特徴とする洗濯機。
【手続補正３】
【補正対象書類名】明細書
【補正対象項目名】０００１
【補正方法】変更
【補正の内容】
【０００１】
【発明の属する技術分野】
本発明は、回転子鉄心の磁石挿入孔に界磁用永久磁石を挿入して構成される回転子を備えた永久磁石形モータ及びその製造方法、並びに永久磁石形モータを用いた洗濯機に関する。
【手続補正４】
【補正対象書類名】明細書
【補正対象項目名】０００６
【補正方法】変更
【補正の内容】
【０００６】
本発明は上記事情に鑑みてなされたものであり、その第１の目的は、界磁用永久磁石の磁束漏れを極力低減でき、しかも製造性も確保できる永久磁石形モータを提供するにある。また、第２の目的は、同様な目的を達成することができる永久磁石形モータの製造方法を提供することにある。第３の目的は、第１の目的を達成できる永久磁石形モータを用いた洗濯機を提供することにある。
【手続補正５】
【補正対象書類名】明細書
【補正対象項目名】０００７
【補正方法】変更
【補正の内容】
【０００７】
【課題を解決するための手段】
上記した第１の目的を達成するために、請求項１の発明は、複数枚の鋼板を積層して環状に構成され、その周方向に磁石挿入孔を２ｎ（ｎは１以上の整数）個有する回転子鉄心と、前記磁石挿入孔に挿入される界磁用永久磁石とを備えた回転子を具備した永久磁石形モータにおいて、前記回転子鉄心は、前記各磁石挿入孔と固定子との間に介在される各介在部の周方向の両端部のうちの一方の端部のみに前記磁石挿入孔と連通する開口部を形成した鋼板を積層して構成したことを特徴とする。
【手続補正６】
【補正対象書類名】明細書
【補正対象項目名】０００８
【補正方法】変更
【補正の内容】
【０００８】
上記した手段によれば、回転子鉄心を構成する各鋼板において、各介在部における周方向の一端部に開口部が形成されているから、その開口部が形成されていない場合に比べて界磁用永久磁石の磁束が漏れ難くなり、その分磁束漏れを低減できるようになる。また、開口部は一端部のみであるから、各鋼板において、介在部の一端部は主体部と接続されているため、その介在部が主体部から分離独立する場合とは違い、製造性を確保できると共に、製作精度を向上できる。
【手続補正７】
【補正対象書類名】明細書
【補正対象項目名】００１０
【補正方法】変更
【補正の内容】
【００１０】
請求項３の発明は、請求項１記載の永久磁石形モータにおいて、回転子鉄心は、各介在部における開口部を、軸方向の一方の端面側からみて時計回り方向側の端部と反時計回り方向側の端部とに周方向に交互に形成した鋼板を交互に積層して構成したことを特徴とする。
これによれば、請求項２の発明と同様な作用効果が得られることに加え、次のような作用効果を得ることができる。すなわち、回転子鉄心と固定子との間の空隙磁束密度の高調波成分を低減でき、コギングトルクを低減できるようになる。
【手続補正８】
【補正対象書類名】明細書
【補正対象項目名】００１２
【補正方法】変更
【補正の内容】
【００１２】
請求項５の発明は、上記した第１の目的を達成するために、複数枚の鋼板を積層して環状に構成され、その周方向に磁石挿入孔を２ｎ（ｎは１以上の整数）個有する回転子鉄心と、前記磁石挿入孔に挿入される界磁用永久磁石とを備えた回転子を具備した永久磁石形モータにおいて、前記回転子鉄心は、前記各磁石挿入孔と固定子との間に介在される各介在部の周方向の両端部に磁石挿入孔と連通する開口部を形成することで前記介在部が主体部から独立した第１の鋼板と、前記介在部の周方向の両端部のうち少なくとも一端部が主体部と接続された第２の鋼板とを積層する共に、これら各鋼板の前記各介在部同士及び前記各主体部同士を連結して構成したことを特徴とする。
【手続補正９】
【補正対象書類名】明細書
【補正対象項目名】００１４
【補正方法】変更
【補正の内容】
【００１４】
請求項６の発明は、上記した第１の目的を達成するために、複数枚の鋼板を積層して環状に構成され、その周方向に磁石挿入孔を２ｎ（ｎは１以上の整数）個有する回転子鉄心と、前記磁石挿入孔に挿入される界磁用永久磁石とを備えた回転子を具備した永久磁石形モータにおいて、前記回転子鉄心は、前記各磁石挿入孔と固定子との間に介在される各介在部の周方向の両端部のうち少なくとも一端部に磁石挿入孔と連通する開口部を形成した第１の鋼板を複数枚積層したものと、この第１の鋼板を積層したものの軸方向の片側または両側に配置され、前記磁石挿入孔に挿入された界磁用永久磁石の脱落を防止する磁石脱落防止部を有する第２の鋼板とを連結して構成したことを特徴とする。
【手続補正１０】
【補正対象書類名】明細書
【補正対象項目名】００１７
【補正方法】変更
【補正の内容】
【００１７】
請求項８の発明は、上記した第２の目的を達成するために、複数枚の鋼板を積層して環状に構成され、その周方向に磁石挿入孔を２ｎ（ｎは１以上の整数）個有する回転子鉄心と、前記磁石挿入孔に挿入される界磁用永久磁石とを備えた回転子を具備した永久磁石形モータを製造する方法において、前記回転子を製造する際に、前記各磁石挿入孔に前記界磁用永久磁石を挿入した状態で樹脂によりモールドし、この後、前記回転子鉄心の各磁石挿入孔と固定子との間に介在される各介在部の周方向の両端部に、前記磁石挿入孔と連通する開口部を後加工により形成するようにしたことを特徴とする。
【手続補正１１】
【補正対象書類名】明細書
【補正対象項目名】００１９
【補正方法】変更
【補正の内容】
【００１９】
請求項９の発明は、上記した第２の目的を達成するために、複数枚の鋼板を積層して環状に構成され、その周方向に磁石挿入孔を２ｎ（ｎは１以上の整数）個有する回転子鉄心と、前記磁石挿入孔に挿入される界磁用永久磁石とを備えた回転子を具備した永久磁石形モータを製造する方法において、前記回転子を製造する際に、前記回転子鉄心は、前記磁石挿入孔と固定子との間に介在される各介在部の周方向の一端部のみに前記磁石挿入孔と連通する開口部を形成すると共に、前記磁石挿入孔が前記開口部側ほど広くなるように形成し、前記各磁石挿入孔に前記界磁用永久磁石を挿入した後、前記磁石挿入孔の前記開口部側を狭くするように前記各介在部を前記界磁用永久磁石側へ変形させた状態で樹脂によりモールドするようにしたことを特徴とする。
【手続補正１２】
【補正対象書類名】明細書
【補正対象項目名】００２１
【補正方法】変更
【補正の内容】
【００２１】
請求項１０の発明は、請求項８または９記載の永久磁石形モータにおいて、回転子鉄心は、周方向に分割された複数の分割鉄心を環状に連結して構成することを特徴とする。
これによれば、請求項７の発明と同様な作用効果を得ることができる。
請求項１１の発明の洗濯機は、請求項１ないし７のいずれかに記載の永久磁石形モータを、回転槽を回転駆動する駆動用モータとして用いることを特徴とする。
【手続補正１３】
【補正対象書類名】明細書
【補正対象項目名】００４９
【補正方法】変更
【補正の内容】
【００４９】
【発明の効果】
請求項１の永久磁石形モータによれば、回転子鉄心を構成する各鋼板において、各介在部における周方向の一端部に磁石挿入孔と連通する開口部が形成されているから、その開口部が形成されていない場合に比べて界磁用永久磁石の磁束が漏れ難くなり、その分磁束漏れを低減できるようになる。また、開口部は一端部のみであるから、各鋼板において、介在部の一端部は主体部と接続されているため、その介在部が主体部から分離独立する場合とは違い、製造性を確保できると共に、製作精度を向上できる。